【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】  ノズルの下流側にディフューザを配置し、これらの間に吸引口を配置したエジェクタにおいて、前記ノズルには、スロート部の前後に滑らかに縮小された縮小入口とゆるい広がり角度を有する拡大出口とが形成され、前記ディフューザには、前記拡大出口と同様の角度が形成されて前記ノズルと前記ディフューザとで、ほぼ単一のラバールノズルを形成し、かつ、前記ディフューザの入口部の側壁を前記拡大出口よりも外方に広げて前記吸引口の開口部からほぼ平行に延ばした後に滑らかに前記拡大出口に接続されることを特徴とするエジェクタ。
【請求項２】  前記吸引口は、作動流体の流れに沿って複数対配置され、各対の吸引口の開口部からほぼ平行にディフューザの入口部の側壁を延ばしたことを特徴とする請求項１に記載のエジェクタ。
【請求項３】  負圧源に接続される空気出口ポートと、大気に開放される空気入口ポートと、負圧装置の負圧室に接続される負圧ポートと、前記空気出口ポートと前記負圧ポートとを連通する通路と、該通路の前記負圧ポート側から前記空気出口ポート側への空気の流通のみを許容する第1逆止弁と、前記空気出口に連通する空気出口、前記空気入口ポートに連通する空気入口および前記負圧ポートに連通する負圧取出口を有するエジェクタと、前記負圧ポート側から前記負圧取出口側への空気の流通のみを許容する第2逆止弁と、前記エジェクタの空気出口または空気入口を開閉する制御バルブとを備え、
前記制御バルブは、前記負圧ポートの負圧に応答して、負圧が所定負圧に到達しないとき開弁し、所定負圧に到達したとき閉弁し、かつ、閉弁時には急速に閉弁することを特徴とする負圧供給装置。
【請求項４】  前記負圧ポートの負圧が所定圧に到達するまでは前記制御バルブの動きを拘束することにより開弁状態を保持し、前記負圧ポートの負圧が所定圧に到達すると前記制御バルブの拘束を解放することにより急速に閉弁するロック機構を有することを特徴とする請求項３に記載の負圧供給装置。
【請求項５】  前記制御バルブは、閉弁時の移動方向側通路が低圧域、開弁時の移動方向側通路が高圧域となるように構成されることを特徴とする請求項３または４に記載の負圧供給装置。
【手続補正２】
【補正対象書類名】明細書
【補正対象項目名】０００８
【補正方法】変更
【補正の内容】
【０００８】
【課題を解決するための手段】
上記の課題を解決するために、請求項１に係る発明はノズルの下流側にディフューザを配置し、これらの間に吸引口を配置したエジェクタにおいて、前記ノズルには、スロート部の前後に滑らかに縮小された縮小入口とゆるい広がり角度を有する拡大出口とが形成され、前記ディフューザには、前記拡大出口と同様の角度が形成されて前記ノズルと前記ディフューザとで、ほぼ単一のラバールノズルを形成し、かつ、前記ディフューザの入口部の側壁を前記拡大出口よりも外方に広げて前記吸引口の開口部からほぼ平行に延ばした後に滑らかに前記拡大出口に接続されることを特徴とする。
このように構成したことにより、ラバールノズルによって、低い吸気負圧でもスロート部の流速が音速に達することができ、高い負圧を得ることができ、また、ディフューザの入口部を広げて平行に延ばしたことにより、到達真空度を低下させることなく、吸引風量を増大させることができる。
また、請求項２の発明に係るエジェクタは、上記請求項１の構成において、前記吸引口は、作動流体の流れに沿って複数対配置され、各対の吸引口の開口部からほぼ平行にディフューザの入口部の側壁を延ばしたことを特徴とする。
請求項３の発明に係る負圧供給装置は、負圧源に接続される空気出口ポートと、大気に開放される空気入口ポートと、負圧装置の負圧室に接続される負圧ポートと、前記空気出口ポートと前記負圧ポートとを連通する通路と、該通路の前記負圧ポート側から前記空気出口ポート側への空気の流通のみを許容する第1逆止弁と、前記空気出口に連通する空気出口、前記空気入口ポートに連通する空気入口および前記負圧ポートに連通する負圧取出口を有するエジェクタと、前記負圧ポート側から前記負圧取出口側への空気の流通のみを許容する第2逆止弁と、前記エジェクタの空気出口または空気入口を開閉する制御バルブとを備え、
前記制御バルブは、前記負圧ポートの負圧に応答して、負圧が所定負圧に到達しないとき開弁し、所定負圧に到達したとき閉弁し、かつ、閉弁時には急速に閉弁することを特徴とする。
このように構成したことにより、負圧ポートの負圧が所定負圧に達するまでは、制御バルブが開弁し、負圧源の負圧によってエジェクタが作動し、負圧取出口から第2逆止弁を介して負圧ポートへ負圧を供給し、負圧ポートの負圧が所定負圧に達すると、制御バルブが閉弁し、エジェクタの作動が停止されて、第1逆止弁を介して負圧源から負圧ポートへ負圧を直接供給する。このとき、制御バルブは、閉弁時に急速に閉弁するので、閉弁過渡期に制御バルブが流路を絞って、エジェクタの機能が低下することがない。
また、請求項４の発明に係る負圧供給装置は、上記請求項３の構成において、前記負圧ポートの負圧が所定圧に到達するまでは前記制御バルブの動きを拘束することにより開弁状態を保持し、前記負圧ポートの負圧が所定圧に到達すると前記制御バルブの拘束を解放することにより急速に閉弁するロック機構を有することを特徴とする。
このように構成したことにより、制御バルブがロック機構により負圧ポートの負圧が所定圧に到達したときに急速に閉弁するので、閉弁過渡期に制御バルブが流路を絞って、エジェクタの機能が低下することがない。
また、請求項５の発明に係る負圧供給装置は、上記請求項３または４の構成において、前記制御バルブは、閉弁時の移動方向側通路が低圧域、開弁時の移動方向側通路が高圧域となるように構成されることを特徴とする。
【手続補正３】
【補正対象書類名】明細書
【補正対象項目名】００５５
【補正方法】変更
【補正の内容】
【００５５】
【発明の効果】
以上詳述したように、請求項１の発明に係るエジェクタによれば、ラバールノズルによって、低い吸気負圧でもスロート部の流速が音速に達することができ、高い負圧を得ることができ、また、ディフューザの入口部を広げて平行に延ばしたことにより、到達真空度を低下させることなく、吸引風量を増大させることができる。その結果、低い吸気負圧によって高い負圧を得ることができ、かつ、充分大きな吸引風量を得ることができ、安定した負圧を供給することができる。
また、請求項１の発明に係るエジェクタによれば、広い作動負圧範囲にわたって高い吸引負圧を得ることができる。
請求項３、４の発明に係る負圧供給装置によれば、負圧ポートの負圧が所定負圧に達するまでは、制御バルブが開弁し、負圧源の負圧によってエジェクタが作動し、負圧取出口から第2逆止弁を介して負圧ポートへ負圧を供給し、負圧ポートの負圧が所定負圧に達すると、制御バルブが閉弁し、エジェクタの作動が停止されて、第1逆止弁を介して負圧源から負圧ポートへ負圧を直接供給する。このとき、制御バルブは、閉弁時に急速に閉弁するので、閉弁過渡期に制御バルブが流路を絞って、エジェクタの機能が低下することがない。その結果、エンジンの空燃比への影響を最小限にすると共に、安定した負圧を供給することができる。
また、請求項５の発明に係る負圧供給装置によれば、弁体に作用する差圧が弁体の閉弁方向移動の助力となり、さらに、閉弁時の着座を良好に保つ。